(57)【要約】【課題】作業者がマストの頂部に容易に登ることを可能にするマスト用昇降補助具を提供することを目的とする。【解決手段】マスト用昇降補助具１０は、回動支持部１１ｂを有するベース体１１と、ベース体１１の回動支持部１１ｂを中心として一端側に設けられ、マスト１の溝部２に対して遊度を持って挿通されると共に、溝部２の一側内面２ａに当接可能な第１当接部１３ａを具備した第１挿通体１３と、ベース体１１の回動支持部１１ｂを中心として他端側に設けられ、足を乗せることが可能なステップ部１６と、回動支持部１１ｂに対して回動可能に支持され、溝部２に対して遊度を持って挿通されると共に、第１挿通体１３と長手方向に離間して溝部２の一側内面２ａに対向する他側内面２ｂに当接可能な第２当接部１８ａを具備した第２挿通体１８とを有する。【選択図】図５
0003155371.tif 000002
【実用新案登録請求の範囲】
【請求項１】
外周面に長手方向に延出する溝部が形成されたマストに対して係合可能なマスト用昇降補助具であって、
回動支持部を有するベース体と、
前記ベース体の回動支持部を中心として一端側に設けられ、前記溝部に対して遊度を持って挿通されると共に、溝部の一側内面に当接可能な第１当接部を具備した第１挿通体と、
前記ベース体の回動支持部を中心として他端側に設けられ、足を乗せることが可能なステップ部と、
前記回動支持部に対して回動可能に支持され、前記溝部に対して遊度を持って挿通されると共に、前記第１挿通体と長手方向に離間して溝部の一側内面に対向する他側内面に当接可能な第２当接部を具備した第２挿通体と、
ロープが連結可能なロープ連結部と、
を有することを特徴とするマスト用昇降補助具。
【請求項２】
前記第１挿通体の第１当接部は、前記ステップ部に足が乗せられてベース体が回動した際、前記第１当接部が溝部の一側内面に面接するように形成されていることを特徴とする請求項１に記載のマスト用昇降補助具。
【請求項３】
前記ステップ部は、前記ベース体に対してステップ方向に傾斜して設けられていることを特徴とする請求項１又は２に記載のマスト用昇降補助具。
【請求項４】
前記第１当接部に、弾性部材を設けたことを特徴とする請求項１から３のいずれか１項に記載のマスト用昇降補助具。
【考案の詳細な説明】
【技術分野】
【０００１】
本考案は、例えば、ヨットのマストを昇降する際に用いられるマスト用昇降補助具に関する。
【背景技術】
【０００２】
一般的に、ヨットには、特許文献１に開示されているように、セール（帆）を張るためのマストが備え付けられており、マストは、軽量化を図るべく、アルミやＦＲＰ（繊維強化樹脂）によって、先端部に移行するに従い細径化するテーパ状に形成されている。
【０００３】
このマストの頂部（マストトップ）には、メイン・ジブ・スピネーカー・トッピングリフトなど、セールを吊り上げるための各種ロープが掛けられるブロック（滑車）や、各種の航海機器（避雷針、風向風速計、アンテナ、航海灯など）が設置されるようになっている。このため、マストには、下端部から先端部に亘って、溝部（グルーブ）及び空洞部が形成されており、前記溝部には、セール用のボルトロープが通され、前記空洞部には、航海機器用の電気系統やその他のロープを通すようになっている。
【０００４】
ところで、上記した航海機器は、トラブルが生じることがあるため、保守作業が必要とされ、また、出航前には、点検作業を行う必要がある。したがって、ヨットの乗組員は、マストの頂部に登る作業を行っている。
【０００５】
通常、マストの頂部に登る乗組員（作業員）は、ボースンチェアと称される吊り上げ用の腰掛を装備し、これにロープを掛けて前記ブロックを介してウインチに連結し、別の乗組員（補助者と称する）がウインチを巻き取り操作することで作業者はマストの頂部に登っている。
【先行技術文献】
【特許文献】
【０００６】
【特許文献１】特開平８−１１３１９２号
【考案の概要】
【考案が解決しようとする課題】
【０００７】
上記したように、作業者がマストの頂部に登る際には、補助者がウインチの巻き取り操作をしており、この部分には、常時、作業者の全体重がかかった状態となる。特に、作業者をマストの頂部まで引上げるには、補助者は、作業者の全体重がかかった状態で巻き取り操作を行うため、力作業となり重労働となっている。
【０００８】
本考案は、上記した事情に着目してなされたものであり、作業者がマストの頂部に容易に登ることを可能にするマスト用昇降補助具を提供することを目的とする。
【課題を解決するための手段】
【０００９】
上記した目的を達成するために、本考案に係るマスト用昇降補助具は、外周面に長手方向に延出する溝部が形成されたマストに対して係合可能に構成されており、回動支持部を有するベース体と、前記ベース体の回動支持部を中心として一端側に設けられ、前記溝部に対して遊度を持って挿通されると共に、溝部の一側内面に当接可能な第１当接部を具備した第１挿通体と、前記ベース体の回動支持部を中心として他端側に設けられ、足を乗せることが可能なステップ部と、前記回動支持部に対して回動可能に支持され、前記溝部に対して遊度を持って挿通されると共に、前記第１挿通体と長手方向に離間して溝部の一側内面に対向する他側内面に当接可能な第２当接部を具備した第２挿通体と、ロープが連結可能なロープ連結部と、を有することを特徴とする。
【００１０】
上記した構成のマスト用昇降補助具は、作業者がロープ連結部にロープを連結し、これを腰などに装着することで使用される。使用にあたっては、まず、前記第１挿通体、及び第２挿通体を溝部に挿通させる。この場合、第２挿通体、そして第１挿通体を溝部に係合させることから、第２挿通体が溝部の上側に位置し、第１挿通体が溝部の下側に位置する。
【００１１】
この状態で、作業者は、マスト用昇降補助具を溝部に沿って上方側にスライドさせ、ステップできる位置にセットする。そして、この位置で、作業者がステップ部に足を乗せて体重を掛け、マストの上方に登る動作をすると、ベース体の回動支持部を中心としたてこの作用により、ステップ部の反対側にある第１挿通体の第１当接部が溝部の一側内面に当接する。また、同時に第２挿通体の第２当接部が溝部の一側内面に対向する他側内面に当接することとなり、前記第１当接部と第２当接部の当接により、マスト用補助具は、強固に固定され、作業者が体重を掛けても長手方向に移動することはない。
【００１２】
作業者は、マストの頂部に設けられているブロックを介してロープによってウインチに連結され吊り上げられた状態にある。作業者が登る動作をする際には、ウインチを巻き取る補助者は、何等、負荷が掛かることはなく、引き上げ操作（ウインチの巻き取り操作）をする必要がない。そして、作業者がステップ部を介して登りきると、補助者は、単に、作業者の体重を支えるための保持操作をする。このとき、作業者は、ステップ部から足を離し（この段階でてこの作用はなくなるため、前記第１当接部と第２当接部は、溝部の内面からフリー状態になる）、ロープ連結部によって連結されているマスト用昇降補助具を上方にスライドさせる。再び、作業者は、マスト用昇降補助具をステップできる位置にセットし、この位置で、作業者は、ステップ部に足を乗せて体重を掛け、マストの上方に登る動作をする。
【００１３】
このような動作を繰り返すことで、作業者は、マストの頂部に容易に登ることが可能であり、また、補助者は、作業者を引上げる操作をする必要がなくなるため、重労働となることはない。
【考案の効果】
【００１４】
本考案によれば、補助者の労力が軽減でき、作業者がマストの頂部に容易に登ることを可能にするマスト用昇降補助具が得られる。
【図面の簡単な説明】
【００１５】
【図１】（ａ）はヨットに設置されるマストの全体構成を示す図、（ｂ）は、マストの任意位置であるＡ−Ａ線に沿った断面図。
【図２】本考案に係るマスト用昇降補助具の一例を示す全体図。
【図３】図２に示すマスト用昇降補助具の構成部材であるベース体を示す図。
【図４】図２に示すマスト用昇降補助具の構成部材であるベース体に回動可能に支持される第２挿通体の構成を示す図。
【図５】本考案に係るマスト用昇降補助具の使用状態を説明する図。
【考案を実施するための形態】
【００１６】
以下、本考案の一実施形態について説明する。
図１は、例えば、図示されていないヨットに設置されるマストの概略を示しており、（ａ）は全体構成を示す図、（ｂ）は任意位置であるＡ−Ａ線に沿った断面図である。
【００１７】
ヨットに設置されるマスト１は、上述したように、セール（帆）を張る機能を備えており、その頂部（マストトップ）には、図示されていない、セールを吊り上げるための各種ロープが掛けられるブロック（滑車）、及び、航海機器（避雷針、風向風速計、アンテナ、航海灯など）が設置されるようになっている。
【００１８】
このため、マスト１には、下端部から先端部に亘って、溝部（グルーブ）２が形成されると共に、空洞部３が形成されており、溝部２には、セール用のボルトロープが通され、空洞部３には、航海機器用の電気系統やその他のロープを通すようになっている。
【００１９】
前記溝部２は、マスト１の外周面をくりぬいた状態で長手方向に延出しており、その断面形状は略円形となっている。このため、溝部２は、空洞部３側となる湾曲した内面（溝部の一側内面）２ａと、湾曲した内面と対向し、開口２ｃが形成される湾曲した内面（溝部の一側内面２ａに対向する他側内面）２ｂを備えている。
【００２０】
なお、溝部２の形状（断面形状）については、長手方向に延出する開口２ｃが形成されると共に、後述する挿通体の当接部が当て付くように、対向する面（一側内面２ａと他側内面２ｂ）が形成されていれば、その断面形状については、特に限定されることはない。
【００２１】
本考案では、前記溝部２を利用して、マスト用昇降補助具が設置され、作業者がマストの頂部に登るようになっている。この場合、マストに登る作業者は、従来と同様、ボースンチェアと称される吊り上げ用の腰掛を装備し、これにロープを掛けて前記ブロックを介してウインチに連結し、補助者がウインチを巻き取り操作することで、作業者はマストの頂部に登る。
【００２２】
図２から図４は、本考案に係るマスト用昇降補助具の一実施形態を示しており、図２は、全体構成を示す図、図３は、図２に示すマスト用昇降補助具の構成部材であるベース体を示す図、そして、図４は、図２に示すマスト用昇降補助具の構成部材であるベース体に回動可能に支持される第２挿通体の構成を示す図である。
【００２３】
マスト用昇降補助具１０は、前記溝部２に対して係合可能に構成されており、使用に際して略水平方向に延出する板状のベース体１１を備えている。このベース体１１の中央部には、上方に向けて突出する突片１１ａが形成されており、この部分に、後述する第２挿通体の回動支持部１１ｂ（回動支点となる）が設けられている。
【００２４】
ベース体１１には、前記回動支持部１１ｂを中心として、一端側１１ｄに第１挿通体１３が設けられており、他端側１１ｅに足を乗せることが可能なステップ部１６が設けられている。
【００２５】
前記第１挿通体１３は、溝部２に対して遊度を持って挿通可能な構成となっており、ベース体１１の一端部側に、略直方体形状となるように膨出して一体形成されている。第１挿通体１３は、溝部２の下端位置から、後述する第２挿通体を挿通させた後に挿入され、第１挿通体１３が溝部２に入り込むと、ベース体１１の一端側１１ｄは、溝部２の開口２ｃから突出する。
【００２６】
また、第１挿通体１３には、溝部２の一側内面２ａに当接可能な第１当接部１３ａが形成されている。この第１当接部１３ａは、ステップ部１６に作業者が足を乗せた際、その体重によって回動支持部１１ｂを中心としたてこの作用により溝部２の一側内面２ａに当接する部分となる。このため、ステップ部１６に足が乗せられてベース体１１が回動した際、溝部２の一側内面２ａに対して点当たりするのではなく、面当たり（面接）できるように、図３に示すように、ベース体１１の延出方向に対して所定角度、傾斜させておくことが好ましい。
【００２７】
さらに、第１当接部１３ａには、溝部２の一側内面２ａに傷等を付けないように、例えば、ゴムのような弾性部材１４を設けておくことが好ましい。
【００２８】
前記ステップ部１６は、作業者の足が乗せられる程度であれば良く、あまり長くし過ぎると、外側に作業者が乗った際、第１当接部１３ａに作用する力が大きくなり過ぎて、溝部２の一側内面２ａに傷等を付ける可能性があるため、足の幅程度（略１０ｃｍ前後）あれば充分である。また、図３に示すように、ステップ部１６は、ベース体１１の延出方向に対してステップ方向（図２において時計回り方向）に傾斜させておくことで、作業者の体重を逃がすことができ、第１当接部１３ａに作用する力を緩和することが可能となる。
【００２９】
さらに、ステップ部１６は、中心線から両サイドに向けて傾斜する一対の傾斜面（片方のみが示されている）１６ａを有する構成にしておくことが好ましい。これにより、作業者が登る動作をする場合において、足を上げてステップ部１６に足を掛ける際、つま先部分を引っ掛けることが防止され、安全性を高めることが可能となる。
【００３０】
前記突片１１ａの回動支持部１１ｂには、前記溝部２に対して遊度を持って挿通されると共に、第１挿通体１３と長手方向に離間して溝部２の一側内面に対向する他側内面２ｂに当接可能な第２当接部１８ａを具備した第２挿通体１８が回動可能に支持されている。
【００３１】
図に示す構成では、第２挿通体１８は、略円柱形状に構成されて回動片１９の端部に一体的に形成されており、回動片１９の基端部が、ボルト等によって前記回動支持部１１ｂに対して回動可能に支持されている。このため、第２当接部１８ａは、図２の斜線で示す円弧面の領域となっている。
【００３２】
また、回動片１９には、ロープ連結部２０が設けられており、この部分にロープ２３が連結されている。なお、このロープ２３の他端部は、実際にマストに登る作業者が、腰ベルト等に連結する。
【００３３】
上記した構成のマスト用昇降補助具１０の使用方法について図５を参照しながら説明する。
【００３４】
まず、作業者がロープ連結部２０にロープ２３を連結し、これを腰などに装着することで使用される。この場合、作業者は、ボースンチェアを装備しており、これにロープを掛けて前記ブロックを介してウインチに連結し、補助者がウインチの巻き取り操作をする。
【００３５】
マスト用昇降補助具１０の使用に際しては、最初に第２挿通体１８をマスト１の溝部２に挿通させ、引き続き１挿通体１３をマスト１の溝部２に挿通させる。これにより、マスト用昇降補助具１０は、第２挿通体１８が上側、第１挿通体１３が下側となって溝部２に対してスライド可能となる。
【００３６】
この状態で、作業者は、マスト用昇降補助具１０を溝部２に沿って上方側にスライドさせ、最初にステップできる位置にセットする。そして、この位置で、作業者はステップ部１６に足を乗せて体重を掛け、マストの上方に登る動作をすると、ベース体１１の回動支持部１１ｂを中心としたてこの作用により、ステップ部１６の反対側にある第１挿通体１３の第１当接部１３ａが溝部２の一側内面２ａに当接する。
【００３７】
このとき、上述したように、第１当接部１３ａは、ベース体１１の延出方向に対して傾斜しているので、一側内面２ａに面当たりするとともに、弾性部材１４が設けられているので、溝部２の一側内面２ａを傷付けるようなことはない。また、同時に第２挿通体１８の第２当接部１８ａが溝部２の一側内面に対向する他側内面２ｂに当接するため、第１当接部１３ａと第２当接部１８ａの当接により、マスト用補助具１０の位置は強固に固定され、作業者が体重を掛けている状態では、長手方向に移動することはない。
【００３８】
上記したように、作業者は、マストの頂部に設けられているブロックを介してロープによってウインチに連結され吊り上げられた状態にあるが、作業者が登る動作をする際には、補助者は、何等、負荷が掛かることはなく、引き上げ操作（ウインチの巻き取り操作）をする必要はない。
【００３９】
そして、作業者がステップ部１６を登ると、補助者は、作業者の体重を支えるための保持操作をする。このとき、作業者がステップ部１６から足を離すと、この段階でてこの作用はなくなるため、第１当接部１３ａと第２当接部１８ａは、溝部２の内面からフリー状態となり、ロープ２３を介してマスト用昇降補助具１０を上方にスライドさせることが可能となる。
【００４０】
再び、作業者は、マスト用昇降補助具１０をスライドさせてステップできる位置にセットし、この位置で、作業者は、ステップ部１６に足を乗せて体重を掛け、マストの上方に登る動作をする。
【００４１】
このような動作を繰り返すことで、作業者は、マストの頂部に容易に登ることが可能であり、補助者は、作業者を保持する操作をするだけで引上げる操作をする必要がなくなるため、労力が軽減される。
【００４２】
なお、マストの頂部に登った作業者は、所定の作業をした後、マストを降りることとなるが、この場合、マスト用昇降補助具１０を利用することなく降りることが可能である。
【００４３】
以上、本考案の実施形態について説明したが、上記したマスト用昇降補助具１０の構成部材の寸法や、材質については、適宜変形することが可能である。例えば、溝部２の形状や大きさ、溝部２への挿入形態に応じて、第１挿通体や第２挿通体の長さ、大きさ等、適宜変形することが可能である。
【００４４】
また、本考案は、ヨット用のマストに限られず、長手方向に亘って溝部が形成されているようなマスト（ポール）に対しても適用することが可能である。
【符号の説明】
【００４５】
１  マスト
２  溝部
２ａ  一側内面
２ｂ  他側内面
１０  マスト用昇降補助具
１１  ベース体
１１ｂ  回動支持部
１３  第１挿通体
１３ａ  第１当接部
１６  ステップ部
１８  第２挿通体
１８ａ  第２当接部
２０  ロープ連結部
【図１】
0003155371.tif 000003
【図２】
0003155371.tif 000004
【図３】
0003155371.tif 000005
【図４】
0003155371.tif 000006
【図５】
0003155371.tif 000007